【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
複数の撮影条件にそれぞれ対応させて、複数の撮影パラメータを規定している撮像装置において、
外部からの入力を受け付けることにより、第１の指示をなす第１の操作部と、
外部からの入力を受け付けることにより、複数の前記撮影条件を予め選択する選択手段と、
前記第１の指示の内容として、前記選択手段により選択された各撮影条件にそれぞれ対応する撮影パラメータを設定する指示内容を、予め割り当てる割当手段と
を備えた撮像装置。
【請求項２】
前記第１の操作部は、外部からの入力を受け付ける度に、前記割当手段により割り当てられた各撮影パラメータのうち一の撮影パラメータを順次設定する
請求項１の撮像装置。
【請求項３】
外部からの入力を受け付けることにより、第２の指示をなす第２の操作部を備え、
前記割当手段は、前記第２の指示の内容として、前記選択手段により選択された撮影条件に対応する複数の撮影パラメータを設定する指示内容を、予め割り当て、
前記第１の操作部は、外部からの入力を受け付ける度に、前記割当手段により割り当てられた各撮影パラメータのうち一の撮影パラメータを、第１の順番で順次設定し、
前記第２の操作部は、外部からの入力を受け付ける度に、前記割当手段により割り当てられた各撮影パラメータのうち一の撮影パラメータを、前記第１の順番と異なる第２の順番で順次設定する
請求項２の撮像装置。
【請求項４】
複数の撮影条件にそれぞれ対応させて、複数の撮影パラメータを規定している撮像装置において、
外部からの入力を受け付けることにより、第１の指示をなす第１の操作部と、
外部からの入力を受け付けることにより、特定の指示である第２の指示をなす第２の操作部と、
外部からの入力を受け付けることにより、任意の前記撮影条件を予め選択する選択手段と、
前記第１の指示の内容として、前記選択手段により選択された撮影条件に対応する複数の撮影パラメータを設定する指示内容を、予め割り当てる割当手段と、
外部からの入力を受け付けることにより、前記第２の操作部による第２の指示を実行することを決定する決定手段と、
を備えた撮像装置。
【請求項５】
外部からの入力を受け付けることにより、第１の指示をなす第１の操作部とを備え、複数の撮影条件にそれぞれ対応させて、複数の撮影パラメータを規定しているコンピュータを、
外部からの入力を受け付けることにより、複数の前記撮影条件を予め選択する選択手段、
前記第１の指示の内容として、前記選択手段により選択された各撮影条件にそれぞれ対応する撮影パラメータを設定する指示内容を、予め割り当てる割当手段、
として機能させる制御プログラム。
【請求項６】
外部からの入力を受け付けることにより、第１の指示をなす第１の操作部と、外部からの入力を受け付けることにより、特定の指示である第２の指示をなす第２の操作部と、外部からの入力を受け付けることにより、前記第２の操作部による第２の指示を実行することを決定する決定部とを備え、複数の撮影条件にそれぞれ対応させて、複数の撮影パラメータを規定しているコンピュータを、
外部からの入力を受け付けることにより、任意の前記撮影条件を予め選択する選択手段、
前記第１の指示の内容として、前記選択手段により選択された撮影条件に対応する複数の撮影パラメータを設定する指示内容を、予め割り当てる割当手段、
として機能させる制御プログラム。
【手続補正２】
【補正対象書類名】明細書
【補正対象項目名】０００５
【補正方法】変更
【補正の内容】
【０００５】
請求項１に記載の撮像装置は、複数の撮影条件にそれぞれ対応させて、複数の撮影パラメータを規定している撮像装置において、外部からの入力を受け付けることにより、第１の指示をなす第１の操作部と、外部からの入力を受け付けることにより、複数の前記撮影条件を予め選択する選択手段と、前記第１の指示の内容として、前記選択手段により選択された各撮影条件にそれぞれ対応する撮影パラメータを設定する指示内容を、予め割り当てる割当手段とを備えた。
【手続補正３】
【補正対象書類名】明細書
【補正対象項目名】０００６
【補正方法】変更
【補正の内容】
【０００６】
請求項２に記載の撮像装置は、前記第１の操作部は、外部からの入力を受け付ける度に、前記割当手段により割り当てられた各撮影パラメータのうち一の撮影パラメータを順次設定する。
【手続補正４】
【補正対象書類名】明細書
【補正対象項目名】０００７
【補正方法】変更
【補正の内容】
【０００７】
請求項３に記載の撮像装置は、外部からの入力を受け付けることにより、第２の指示をなす第２の操作部を備え、前記割当手段は、前記第２の指示の内容として、前記選択手段により選択された撮影条件に対応する複数の撮影パラメータを設定する指示内容を、予め割り当て、前記第１の操作部は、外部からの入力を受け付ける度に、前記割当手段により割り当てられた各撮影パラメータのうち一の撮影パラメータを、第１の順番で順次設定し、前記第２の操作部は、外部からの入力を受け付ける度に、前記割当手段により割り当てられた各撮影パラメータのうち一の撮影パラメータを、前記第１の順番と異なる第２の順番で順次設定する。
【手続補正５】
【補正対象書類名】明細書
【補正対象項目名】０００８
【補正方法】変更
【補正の内容】
【０００８】
請求項４に記載の撮像装置は、複数の撮影条件にそれぞれ対応させて、複数の撮影パラメータを規定している撮像装置において、外部からの入力を受け付けることにより、第１の指示をなす第１の操作部と、外部からの入力を受け付けることにより、特定の指示である第２の指示をなす第２の操作部と、外部からの入力を受け付けることにより、任意の前記撮影条件を予め選択する選択手段と、前記第１の指示の内容として、前記選択手段により選択された撮影条件に対応する複数の撮影パラメータを設定する指示内容を、予め割り当てる割当手段と、外部からの入力を受け付けることにより、前記第２の操作部による第２の指示を実行することを決定する決定手段と、を備えた。
【手続補正６】
【補正対象書類名】明細書
【補正対象項目名】０００９
【補正方法】変更
【補正の内容】
【０００９】
請求項５に記載の制御プログラムは、外部からの入力を受け付けることにより、第１の指示をなす第１の操作部とを備え、複数の撮影条件にそれぞれ対応させて、複数の撮影パラメータを規定しているコンピュータを、外部からの入力を受け付けることにより、複数の前記撮影条件を予め選択する選択手段、前記第１の指示の内容として、前記選択手段により選択された各撮影条件にそれぞれ対応する撮影パラメータを設定する指示内容を、予め割り当てる割当手段、として機能させる。
【手続補正７】
【補正対象書類名】明細書
【補正対象項目名】００１０
【補正方法】変更
【補正の内容】
【００１０】
請求項６に記載の制御プログラムは、外部からの入力を受け付けることにより、第１の指示をなす第１の操作部と、外部からの入力を受け付けることにより、特定の指示である第２の指示をなす第２の操作部と、外部からの入力を受け付けることにより、前記第２の操作部による第２の指示を実行することを決定する決定部とを備え、複数の撮影条件にそれぞれ対応させて、複数の撮影パラメータを規定しているコンピュータを、外部からの入力を受け付けることにより、任意の前記撮影条件を予め選択する選択手段、前記第１の指示の内容として、前記選択手段により選択された撮影条件に対応する複数の撮影パラメータを設定する指示内容を、予め割り当てる割当手段、として機能させる。
【手続補正８】
【補正対象書類名】明細書
【補正対象項目名】００１１
【補正方法】変更
【補正の内容】
【００１１】
本発明によれば、簡単な操作で、所望の撮影パラメータを設定できる。